(57)【要約】【課題】換気扇の設置のために新たに壁に穴をあけることなく、窓を閉めたままで適切な換気量で、常時かつ安全に室内の換気を行うことのできる新規な換気装置の提供。【解決手段】レール開閉式戸の室内側における戸枠の下部に沿って形成された細長い密閉空間部および前記密閉空間部に設置した換気扇よりなることを特徴とする換気装置。【選択図】図１
2007120860.tif 000002
【特許請求の範囲】
【請求項１】
レール開閉式戸の室内側における戸枠の下部に沿って形成された細長い空間部および前記空間部に設置した換気扇よりなることを特徴とする換気装置。
【請求項２】
レール開閉式戸の室内側における戸枠の下部に沿って形成された細長い空間部、換気扇を収納した換気ファンボックスおよび前記空間部と前記換気ファンボックスとの連通部材よりなることを特徴とする換気装置。
【請求項３】
レール開閉式戸に対して着脱自在とした請求項１または２記載の換気装置。
【請求項４】
前記戸枠が、複数の引き戸のうち少なくとも室内側から数えて２枚目の引き戸の戸枠である請求項１〜３いずれか記載の換気装置。
【発明の詳細な説明】
【技術分野】
【０００１】
本発明は、室内の空気をレール式開閉戸におけるレールと戸との隙間を通して積極的に換気するための換気装置に関する。
【背景技術】
【０００２】
密閉された部屋を換気するには、その部屋の住人あるいは管理人が通常の換気扇を回したり、戸を適宜開閉することにより行われている。ところが、留守にするときには、戸に鍵を掛け、換気扇を止めることになるため、湿気や臭気の排出ができず、とくに長期不在の場合には建物が痛む恐れがある。しかし、現状ではこれに対する解決策はなく、長期不在者は、戸を開けて換気するため、ときどきそこに出かけて行くしか方法がないのが実状である。
【０００３】
現在市販されている換気扇は長時間つけっ放しにしておくことを前提として設計されたものではないし、かりに長時間つけっぱ放しにできるとしても、そのための電気代が嵩むという問題がある。
【０００４】
市販されている換気扇のうち、小型のものを用いるとしても、壁にその取り付けのための穴を開けなければならず、また、従来からの換気扇取り付け位置である天井に近い位置であれば、部屋の上部の暖かい空気を排出することになり、そこに居住する者にとっては冬場には熱効率の面からみて有難いことではない。
【発明の開示】
【発明が解決しようとする課題】
【０００５】
本発明の目的は、換気扇の設置のために新たに壁に穴をあけることなく、窓を閉めたままで適切な換気量で、常時かつ安全に室内の換気を行うことのできる新規な換気装置を提供する点にある。
【課題を解決するための手段】
【０００６】
本発明は、室内の空気をレール式開閉戸におけるレールと戸との隙間を通気穴として利用するという全く新しい発想に基づく、簡単で安価かつ安全な換気装置である。
【０００７】
本発明の第1は、レール開閉式戸の室内側における戸枠の下部に沿って形成された細長い空間部および前記空間部に設置した換気扇よりなることを特徴とする換気装置に関する。
本発明の第２は、レール開閉式戸の室内側における戸枠の下部に沿って形成された細長い空間部、換気扇を収納した換気ファンボックスおよび前記空間部と前記換気ファンボックスとの連通部材よりなることを特徴とする換気装置に関する。
本発明の第３は、レール開閉式戸に対して着脱自在とした請求項１または２記載の換気装置に関する。
本発明の第４は、前記戸枠が、複数の引き戸のうち少なくとも室内側から数えて２枚目の引き戸の戸枠である請求項１〜３いずれか記載の換気装置に関する。
【０００８】
本発明の「レール開閉式戸の室内側における戸枠の下部に沿って形成された細長い空間部」は、室内の空気をこの細長い空間部に取り込むためのスペースであり、取り込んだ空気は、レール式開閉戸におけるレール付き敷居と戸との隙間を通気穴として利用し、ここから換気扇の力を利用して取り込んだ室内の空気を強制的に排出することができる。
この細長い空間部は、通常室内側からみて、その引き戸の内側に他の引き戸用のレールが１本ないし２本ある程度のスペースがある引き戸を選び、その引き戸の下辺部の戸枠と敷居との間に設けることのできる空間部を指すが、２〜３枚の引き戸の下辺部の戸枠と敷居の間に設けることができる空間部であってもよい。しかし、１枚の戸枠のみに本発明の換気装置を設けるだけで通常の大きさの家であれば充分換気の目的を達成することができる。
【０００９】
戸枠（下辺部の戸枠）の幅は、狭いものでは約３ｃｍ程度、通常約５〜７ｃｍ程度であり、1枚の戸の幅（レール方向）は約５０から１００ｃｍ程度であるが、対象とする引き戸（戸枠）の下辺部のレール方向が前記細長い空間部の底辺に、下辺部の戸枠の幅またはそれよりやや小さいサイズが前記細長い空間部の高さに、敷居の盛り上がり端部と戸枠との間の所定空間が前記細長い空間部の奥行きになる。したがって、前記細長い空間部の底辺と高さは一定であるが、奥行きは1枚目の引き戸と２枚目の引き戸とでは当然異なっている。ただし、本発明においては、引き戸が１枚のみの場合でも、複数の場合でも、そのうちの１枚の引き戸の部分に本発明の換気装置をセットすれば、充分目的を達成することができる。また必要に応じて複数枚の引き戸部分を本発明の対象とすることもできる。
対象となっている引き戸（例えば、図１〜４の引き戸Ａ）とレールとの間のみから室内の空気を換気することが効率的であるため、対象となっている引き戸（例えば、引き戸Ａ）以外の隣の引き戸（例えば、引き戸Ｂ）とレールの間の空隙から空気が出入りすることはできるだけ防止することが好ましい。このためには、少なくとも、図２にみられるように引き戸Ｂと本発明の細長い空間部との間を例えば端部密閉部材などにより「引き戸Ａの側に設けた細長い空間部」と「引き戸Ｂとそのレールの間の隙間」とを遮断することが好ましい。
【００１０】
本発明の換気装置は、図３に示すように、原則的には室内側からみて、引き戸１枚分のスペースを有する側の引き戸（図１〜４においては引き戸Ａ）の部分に、取り付けることが好ましい。
また、引き戸Ｂの側のレール間隙部分から引き戸Ｂの下辺部にそって空気が出入するのを防止するため、引き戸Ｂと敷居とのスペースのところに、引き戸Ｂ用の密閉用板状部材（例えば図６に示す構造のもの）を挿入することが好ましい。
【００１１】
前記細長い空間部を形成するための具体的手段としては、たとえば断面Ｌ字型で長さが敷居の長さに相当する逆Ｌ字型部材を用いて引き戸と敷居の間に空間を形成し、その両端には密閉用板状部材をそれぞれ用いて細長い空間部を形成することができる。なお、柱側は柱と前記逆Ｌ字型部材の接触部分が充分密閉を保つことができるようであれば、密閉用板状部材は不要である。もちろん細長い空間部の天井に相当する部分となる前記逆Ｌ字型部材の天井相当部分は、その奥行きに対応したものとなることは当然である。また、室内からみて一番手前の引き戸（図１〜４における引き戸Ｂ）の場合は、その戸枠と敷居端部との距離（隙間幅）が非常に短い（狭い）場合には、図８に示すように天井相当部分をシール部材とすることもできる。さらに前記距離が短い場合には板状の弾性体あるいは弾性体被覆金属板などを用いることもできる。
【００１２】
前記逆Ｌ字型部材や前記板状部材を形成する材料としては、合成樹脂、弾性体、木材、金属あるいはこれらの積層体などを挙げることができる。そしてこれらが戸枠や敷居と接触する部分にはシール用部材を付設することが好ましい。シール用部材としては、ゴム、ゴム製スポンジなどの弾性材料を用いることができる。本発明の換気装置は、それが取り付けられている場所からみて、当然着脱自在とする必要があり、このシール用部材は着脱が容易で、何回もの着脱によっても変形などによる機能喪失がおきにくい形状とすることが好ましい。
【００１３】
換気扇は、直接前記細長い空間部に取り付けることもできるが、換気扇を収納した換気用ボックスを別途作成し、これをたとえば前記細長い空間部の天井の幅広部分や前記細長い空間部の室内側の側壁に取り付けることもできる。この場合換気用ボックスに設けた凸状の送風穴部を前記細長い空間部の天井に設けた穴に嵌合させて接続することが好ましい。この凸状の送風穴部は請求項２でいう密閉空間部と換気ファンボックスとの連通部材に相当している。なお、換気ファンボックスの１例を図９に示したが、換気ファンボックスはこのような直方体状であってもよいが、円筒状であってもよい。換気ファンボックスは夏の日差しや冬の冷気のことを考えると断熱材で構成することが好ましい。
【００１４】
本発明に使用する換気扇は、パソコンなどの内部冷却に使用されている小型ファンモーター（通常５〜１５Ｖ用）を転用することができる。この小型ファンモーター（通常５〜１５Ｖ用）は家庭用電源から市販の変圧器をかいして駆動することができ、長期間連続運転しても安全である。この程度の換気扇により１時間に６〜１０立方米の空気を排気することができる。
【発明の効果】
【００１５】
（１）本発明により、長期間留守にしていてもその部屋の換気が必要かつ充分な範囲で行うことができる。
（２）本発明の換気装置は、小型であり、部屋の美観を妨げない。
（３）本発明の換気装置は、窓枠の下部に取り付けるタイプのものであるから、従来の換気扇が部屋の上部に存在する暖かい空気を大量に排出することによるエネルギーロスを避けることができ、かつ、部屋の空気の上下の温度差を少なくできるので、この部屋で暮らす住人にとっては住み心地が向上する。
（４）本発明の換気装置は、従来の換気扇に比べて使用電力が桁違いに小さく、回転に伴う騒音も小さい。
（５）冬には引き戸のレール部分から侵入する隙間風は非常に嫌なものであるが、本発明の装置を取り付けることにより、この隙間風を遮断できる。
（６）常時適量の換気が行われるため、居住者の空間環境が好適に維持でき、不注意などによる一酸化炭素中毒などの危険性を低下させることができる。
【実施例】
【００１６】
以下に実施例を挙げて本発明を説明するが、本発明はこれにより何ら限定されるものではない。
【００１７】
実施例１
図１は、本実施例の具体的換気装置を適用するための窓相当部分、すなわち、窓枠、引き戸Ａ、そこにはめられたガラス、引き戸Ｂ、そこにはめられたガラス、敷居よりなる窓相当部分の斜視図であり、図２は、そこに本発明の具体的換気装置の換気ファンボックス以外の部分をセットした状態を示す斜視図である。図３は、図２の換気ファンボックスと連結するための穴に、換気ファンボックスの凸状送風穴部を挿入して連結した図であり、これが本実施例の実施態様図である。図２〜４に示す逆Ｌ字型部材は、本実施例では図５および６に示す構造のものを用いた。図５の手前部分は建物の柱に密接しており、この部分には必要に応じてスポンジやゴム製のシール材料を付設してもよい。この例においては逆Ｌ字型部材の安定性を向上させるため、図６に示すような補助支柱を用いた。引き戸Ａと引き戸Ｂの境界部分をシールするため、図７に示す端部密閉部材を用い、引き戸Ａ側に設けた本発明の細長い空間部の密閉性を向上させた。端部密閉部材は逆Ｌ字型部材の天井部分で逆Ｌ字型部材に接着剤で接合して使用することが好ましい。図９は、換気ファンボックスの1例を示す斜視図であり、上側の凸部を図２の逆Ｌ字型部材の開口（換気ファンボックスと連結するための穴）に差し込んで両者を一体化させて使用する。
【００１８】
実施例２
実施例１の換気装置を使用するに当り、引き戸Ｂの側のレール部分の空気流通を遮断するため、図８に示す構造の引き戸Ｂ用の板状部材を、シール部材が引き戸Ｂと圧接するように挿入して使用する。
【図面の簡単な説明】
【００１９】
【図１】本発明の換気装置を取り付ける以前のレール開閉式戸の室内側より見たレール開閉式戸の敷居付近を中心とした１具体例を示す斜視図である。
【図２】本発明の換気装置を取り付けるため、まず、戸枠の下部に沿って細長い空間部を形成した状態を示す斜視図である。
【図３】図２における換気ファンボックスと連結するための穴に図９に示すような換気ファンボックスをセットして本発明の換気装置を図１に示すレール開閉式戸の室内側に取り付けた様子を示す斜視図である。
【図４】図４は図３の引き戸Ｂ側に図７で示す端部密閉部材を挿入したもので、図３に示す本発明装置の１変形例を示す斜視図である。
【図５】逆Ｌ字型部材の１例を示す斜視図である。
【図６】逆Ｌ字型部材のもう１つの１例を示す斜視図である。
【図７】端部密閉部材の１例を示す斜視図である。
【図８】引き戸Ｂ側の密閉に用いるための板状部材の１例を示す斜視図である。
【図９】換気ファンボックスの１例を示す斜視図である。
【図１】
2007120860.tif 000003
【図２】
2007120860.tif 000004
【図３】
2007120860.tif 000005
【図４】
2007120860.tif 000006
【図５】
2007120860.tif 000007
【図６】
2007120860.tif 000008
【図７】
2007120860.tif 000009
【図８】
2007120860.tif 000010
【図９】
2007120860.tif 000011